(57)【要約】【課題】水洗トイレでの排便臭を少ない薬剤で効果的に除去する。【解決手段】芳香剤又は消臭剤を収容し、且つ、その芳香剤又は消臭剤を薬剤散布機構により外部へ強制散布する。受水口５より水洗タンクへの給水を取り込み、水流検知部１２に導き、水流検知部は水洗トイレの給水を検知する。水洗トイレの給水が検知された時点でファン駆動回路を作動させ、前記薬剤散布機構を作動させることにより、水洗トイレの排水タイミングに合わせて水洗タンク給水時間中、薬剤散布が自動的に行われ、散布薬剤が効果的に使用される。【選択図】    図１
2007092493.tif 000002
【特許請求の範囲】
【請求項１】
エア吸込み口と吹出し口を有し、内部空間に前記吸込み口と吸出し口とをつなぐエア流路部を有する本体ケースと、該本体ケース内のエア流路部に配設される内部に液状芳香剤または液状消臭剤が封入された容器であって、該液状芳香剤または液状消臭剤の蒸発発散部を備えた液状芳香剤入容器または液状消臭剤容器と、前記本体ケース内のエア流路部に配置され、前記吸込み口から吸込まれて吸出し口から吹き出されるエア流を生起する電動ファン装置と、水流タンクへ給水する水流を検出する水流検知部と該水流検知部から出力される信号に基づいて前記電動ファン装置の通電を制御する通電制御回路と、通電制御部へ電力を供給する電源部とを含んで構成されることを特徴とするトイレ消臭芳香装置。
【請求項２】
前記水流検知部は、トイレ使用後の水洗タンクへ給水する水流を検出してトイレ使用終了を判定し、またトイレ使用後から水洗タンク満水までの時間を検出し電動ファン動作時間を生成する請求項１に記載のトイレ消臭芳香装置。
【請求項３】
前記水流検知部がトイレ使用後の水洗タンクへの給水する水流を検知し、トイレ使用終了を判定し、その後一定時間の電動ファン動作時間を生成するタイマ回路を保有する通電制御回路を備えた請求項１に記載のトイレ消臭芳香装置。
【発明の詳細な説明】
【技術分野】
【０００１】本発明は芳香剤又は消臭剤の散布を強制的に行う薬剤散布機構を備えた自動散布方式の消臭芳香装置に関し、特に水流トイレでの排泄臭の除去に有効な消臭芳香装置に関する。
【背景技術】
【０００２】トイレに使用される芳香剤や消臭剤の散布方式は、常時散布方式又は、手動散布方式、電動微弱散布方式が一般的である。常時散布方式は自然蒸発によるものであり、手動散布方式とはスプレー缶を必要な時に手で操作するスプレー方式である。電動微弱散布方式は電動ファンによる微量の常時散布方式である。自然蒸発又は電動微弱散布方式は薬剤散布量が少量で、常時継続するが効果に問題がある。またスプレー式は必要時に随時散布できる利点があるものの操作忘れや煩わしさを避け得ない問題がある。このような問題を解決するために、芳香剤や消臭剤の散布を大量に自動で行う自動散布方式が考えられている。この方式では薬剤散布機構を備えた散布装置が予め設定されたタイミングで薬剤を自動散布する。この方式によると、薬剤が予め設定されたタイミングで効率的に使用される。しかも、操作の煩雑さから解放される。しかし、この方式で重要な点は芳香剤や消臭剤を散布するタイミングの設定である。すなわち、タイミングの設定によっては、薬剤が無駄に消費されたり、脱臭効果が不十分となる。この観点から、従来の自動散布では人間が存在する期間、散布を行うのが基本となっており室内の照明が点灯している期間、或いは人体検知器が人体を感知する期間散布機構を動作させるものが特許文献１に記載されている。また特許文献２には人間が加重する動作を利用して散布機構を作動させることが記載されている。また、特許文献３には排便後に動作する水流水洗音を検知して散布機構を作動させることが記載されている。
【特許文献１】特開２００２−３３６３４１号公報
【特許文献２】特開平１１−２１１２６６号公報
【特許文献３】特開２００５−３６５１１号公報
【発明の開示】
【発明が解決しようとする課題】
【０００３】しかしながら、これらの自動散布方式は水洗トイレでの排便臭の除去を考えた場合、次のような不都合がある。
水洗トイレで人が排便を行う間、散布機構が作動するのは合理的とは言えない。即ち、水洗トイレでの排便時間は何分にも及ぶのが普通であるので、その間、散布機構を作動させ続けると、必要以上に薬剤が消費されることになり、薬剤が使用者に掛かるおそれもある。また、使用開始時に散布を行うのも合理的とは言えない。なぜなら、使用後に排便臭が残り、次に使用する人が不快感を感じることになるからである。
また、排水音を検知して散布機構を動作させる方法は他の音での誤作動も考えられる。
【課題を解決するための手段】
【０００４】本発明の目的は、水洗トイレでの排便臭を少ない薬剤で確実なタイミングで効果的に除去できる自動散布式の消臭芳香装置を提供することにある。
上記の目的を達成するために、本発明に係る消臭芳香装置は芳香剤または消臭剤を収容し、且つ、その芳香剤又は消臭剤を薬剤散布機構により外部へ強制散布する消臭芳香装置において、排便後の水洗タンク補充水流を検知する検知回路と水洗トイレの水洗タンクへの給水水流が検知された時点で前記薬剤散布機構を作動させる駆動回路とを具備する。
水洗トイレの使用後の水洗タンクへの給水水流が検知された時点での薬剤散布は、散布タイミングとして最良である。なぜなら、トイレ使用後であるため消臭効果が高く、薬剤使用量を節約できるとともに次の使用者に不快感を感じさせないからである。
また、薬剤散布期間も水洗タンクへの給水が満杯となり停止するまでは平均７０秒程度であり、この時間での薬剤強制散布により次の使用者に対して十分、消臭効果がある。
散布時間を制御するタイマー回路を付加することにより消臭効果の調整が可能となり、トイレの広さ、消臭薬剤の種類による消臭効果のバラツキを調整することが可能になる。
【発明の効果】
【０００５】本発明に係わる消臭芳香装置は芳香剤又は消臭剤を収容し、且つ、その芳香剤又は消臭剤を薬剤散布機構により外部へ強制散布する消臭芳香装置において水洗トイレへの給水水流を検出する検知回路と、水洗トイレのタンクへの給水水流が検知された時点で前記薬剤散布機構を作動させる駆動回路とを具備することにより、水洗トイレでの排便臭を少ない薬剤で効果的に除去できるので、次の人の使用に不快感を与えない高い性能を維持しつつ、薬剤使用量および消費電力を大幅に節約できる効果がある。
【発明を実施するための最良の形態】
【０００６】以下に、本発明の実施形態を図面に基づいて説明する。
図１は、本発明の一実施形態を示す消臭芳香装置の構成図
図２は、同消臭芳香装置の設置形態図
図３は、同消臭芳香装置の回路構成図である。
本実施形態に係わる消臭芳香装置は水洗トイレ室に設置されて所定のタイミングで芳香剤又は消臭剤を自動散布する自動散布方式の消臭芳香装置である。
この消臭芳香装置は、図２に示すようにトイレ室内のトイレ水洗タンク４の上等に載置されるケース１を備えている。
ケース１の正面には吹き出し口２および吸込み口３が設けられるとともに水洗タンクへの給水を取り込む受水口５が設けられている。
図１において消臭装置のケース１は上下に分割されておりケース上部には薬剤散布機構を構成するファン８が、ケース下部には薬剤容器９、プリント基板１４、電池ボックス１５が設けられている。
ファン８は電池ボックス１５内の乾電池を電源として図示されない駆動モータにより駆動されることにより、吸込み口より空気を吸込み、吹き出し口から芳香剤又は消臭剤をトイレ室内に強制散布する。駆動モータはファン８とともに薬剤散布機構を構成し、駆動モータの動作を制御する制御回路はプリント基板１４に搭載されている。
また、前記薬剤容器はケース１を上部と下部に分離して脱着が可能である。ケース１の下部には水流検知部１２が設けられており、前記受水口５より取り込んだ水洗タンク給水の水流を検出し、前記薬剤散布機構の駆動タイミングを生成している。【０００７】ファン駆動モータの動作を制御する制御回路は図３に示すように水流センサ１７と水流センサ１７の出力によりファン駆動モータ１８をオンオフ制御する通電制御回路１６、ファンモータを駆動する電源部１９より構成されている。
水流検知部１２は前述したとおり、ケース１の下部に取り付けられており、ケース１の上部の受水口に水洗タンクへの給水が開始されると、その水流が装置内経路を通り、水流検知部に導かれた後、下部の排水口より放出され、水洗タンクに落下する。水流検知部は水洗タンクへの給水を検出すると薬剤散布機構の駆動回路を構成する通電制御回路にオン信号を与える。その結果、ファン駆動モータ１８は水洗タンクへの給水が継続している間、動作し、必要且つ十分な芳香・消臭効果が得られる。前記ケース１の上部背面には複数のスリット状のエア吸込み口が、ケース１の上部前面には複数のスリット状のエア吹き出し口がそれぞれ開設される。ケース１の上部空間には前記エア吸込み口とエア吹き出し口とを繋ぐエア流路部が形成される。またケース１の下部には液状芳香剤または液状消臭剤が封入された容器９が配設される。この容器９の上端開口部１０からは液状の芳香剤または消臭剤の蒸発発散部として容器９内に浸されたスポンジなどの吸水材１１が外方に突出され、ケース１の上部の前述エア流路部へ延びている。【０００８】次に本実施形態に係わる消臭装置の動作について説明する。
水洗トイレで排便を終え、排水を行うと、次回の排水に備えて水洗タンクへの給水が開始される。この給水は給水蛇口と水洗タンク間に設置された本発明の消臭芳香装置の受水口に導かれ、水流検知部で検知され、水洗タンクへの給水が継続している間、ファン駆動モータおよびファンが動作する。
これにより、芳香剤または消臭剤がトイレ室内に強制散布される。
即ち、排便後、排水が行われたときのみにその排水開始と同時に所定時間、薬剤の散布が行われる。その結果、室内にこもった排便臭が除去される。
これによると、水洗トイレでの排便後に散布が行われるため，室内にこもった排便臭が効果的に除去される。また、散布後に排便臭の再発生がないため、次の使用の際に臭いがなく、次の使用者が不快感を持つことはない。即ち、短時間の散布にもかかわらず、消臭が効果的に行われ、残臭も生じないのである。使用中散布を継続する場合に比べて薬剤の消費量が大幅に低減することは言うまでもない。
また、制御回路にタイマ回路を付加すれば、給水開始からの電動ファン動作時間を水洗タンクの給水所要時間に関係なく設定でき、排便後の消臭時間を任意に調整が可能となり、設置場所の違いによる水洗タンク給水所要時間のバラツキを補正することができる。
【産業上の利用可能性】
【図面の簡単な説明】
【０００９】
【図１】  本発明の装置構成図
【図２】  本発明の設置状態を示す斜視図
【図３】  本発明の回路構成図
【符号の説明】
【００１１】  １  ケース
２  吹出し口
３  吸込み口
４  水洗タンク
５  受水口
６  給水蛇口
７  便器
８  ファン
９  薬剤容器
１０  上端開口部
１１  吸水剤
１２  水流検知部
１３  水流検知部受水口
１４  プリント基板
１５  電池ボックス
１６  通電制御回路
１７  水流センサ
１８  駆動モータ
１９  電源
【図１】
2007092493.tif 000003
【図２】
2007092493.tif 000004
【図３】
2007092493.tif 000005